(57)【要約】【課題】複数の有線ＬＡＮ及び無線ＬＡＮを、ＡＰを介して相互に無線ＬＡＮで接続する時に、宛先ＡＰが不明なため、ＡＰ間でフレームをブロードキャストするしかなく、誤り再送ができない。【解決手段】ＡＰは他のＡＰから無線フレームを受信した時にアドレスフィールドの送信元端末アドレスを送信ＡＰアドレスとともにＡＰ接続端末アドレステーブル３３に記憶する。次に、有線ＬＡＮあるいは当該ＡＰに属しているステーションからフレームを受信すると、ＡＰ接続端末アドレステーブル３３を検索し、受信フレームの宛先端末アドレスが存在すれば、その宛先端末が属するＡＰを受信ＡＰとして無線区間に受信フレームをブリッジする。【選択図】図３
2005136826.tif 000002
【特許請求の範囲】
【請求項１】
アクセスポイントに接続される有線ＬＡＮ及びアクセスポイントが管理するステーションにより構成される無線ＬＡＮからなる複数のＬＡＮシステムを、アクセスポイントを介して無線ＬＡＮにより相互に接続するＬＡＮ間接続方法において、
各アクセスポイントは他のアクセスポイントから受信したフレームの送信元端末アドレスと送信アクセスポイントアドレスを関連付けて記憶するアクセスポイント接続端末アドレステーブルを有し、
有線ＬＡＮあるいはステーションからフレームを受信した時に、前記フレームの宛先端末アドレスが前記アクセスポイント接続端末アドレステーブルに送信元端末アドレスとして存在するか否かを判定し、
判定結果が肯定的であった場合には前記送信元端末アドレスに関連付けて記憶されている送信アクセスポイントアドレスを宛先アクセスポイントとして前記フレームを無線区間に送信することを特徴とするＬＡＮ間接続方法。
【請求項２】
前記判定結果が否定的であった場合には宛先アクセスポイントとしてブロードキャストアドレスを指定し、前記フレームを無線区間に送信することを特徴とする請求項１に記載のＬＡＮ間接続方法。
【請求項３】
他のアクセスポイント及びステーションと無線通信を行う無線ＬＡＮインターフェース部と、
他のアクセスポイントのアドレスと前記他のアクセスポイントに接続する端末のアドレスを関連付けて記憶するアクセスポイント接続端末アドレステーブルと、
前記無線ＬＡＮインターフェース部が他のアクセスポイントから受信したフレームから送信アクセスポイントアドレス及び送信元端末アドレスを抽出して、それぞれアクセスポイントアドレス及び端末アドレスとして関連付けて前記アクセスポイント接続端末アドレステーブルに記憶するとともに、送信フレームの宛先端末アドレスを前記アクセスポイント接続端末アドレステーブルの端末アドレスから検索し、端末アドレスに関連付けられたアクセスポイントアドレスを宛先アクセスポイントとして指定する無線端末アドレス制御部と、
有線区間のフレームと無線区間のフレームを変換するブリッジ制御部と、
有線接続された端末と通信を行う有線ＬＡＮインターフェース部を備えたアクセスポイント装置。
【請求項４】
送信フレームの宛先端末アドレスを前記アクセスポイント接続端末アドレステーブルの端末アドレスから検索し、前記宛先端末アドレスが見つからなかった場合には宛先アクセスポイントとしてブロードキャストアドレスを指定する請求項３に記載のアクセスポイント装置。
【発明の詳細な説明】
【技術分野】
【０００１】
本発明はローカルエリアネットワーク（ＬＡＮ）システムに関し、特に異なる建物や部屋に配置した有線ＬＡＮ同志を、アクセスポイントを介して無線ＬＡＮにより接続するＬＡＮ間接続方法及びアクセスポイント装置に関するものである。
【背景技術】
【０００２】
近年、パーソナルコンピュータだけでなく、ＤＶＤレコーダなどのディジタル録画機器やテレビにもイーサネット（登録商標）等のＬＡＮインターフェースを有する機器が普及して来ている。家庭内においてこれらの機器を相互に接続してＬＡＮを構成する際に、部屋毎に個別に有線ＬＡＮを設置するだけでなく、これらの有線ＬＡＮを部屋間で相互に接続して、別の部屋にある機器にアクセスすることができれば、ＬＡＮにつながる機器の用途は大きく広がる。しかし、一般的な家屋の制約上、部屋間でＬＡＮケーブルを引き回すのは工事を伴ってコストがかかる上、部屋内の美観を損ねるなどの問題があった。
【０００３】
そこで複数の部屋に設置した有線ＬＡＮを、有線ＬＡＮに接続したアクセスポイント（ＡＰ）を介して、無線ＬＡＮで接続することによりこれらの問題を解決できる。
【０００４】
無線ＬＡＮの規格としてはＩＥＥＥ８０２．１１（ＩＥＥＥ  Ｓｔｄ  ８０２．１１−１９９７  Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  ｓｐｅｃｉｆｉｃａｔｉｏｎ）がある。ＩＥＥＥ８０２．１１で規定された無線ＬＡＮは、イーサネット（登録商標）などの有線ＬＡＮ上に設けたＡＰと、ＡＰを介して他の端末と無線通信を行うステーション（ＳＴＡ）により構成される。
【０００５】
このような複数の有線ＬＡＮ同志を無線ＬＡＮで接続する従来のＬＡＮ間接続方法としては特許文献１に記載されているものがあった。
【０００６】
図８は前記特許文献１に記載された従来のアクセスポイント装置を示すものである。以下、図８を参照しながら従来のアクセスポイント装置の構成とＬＡＮ間接続方法の詳細を説明する。
【０００７】
図８において、無線ＬＡＮインターフェース部８１は他のＡＰとフレームの送受信を行い、無線フィルタリングテーブル８２は無線ＬＡＮ上で認証済みまたは事前に登録しておいたＡＰのアドレスを記憶する。有線ＬＡＮインターフェース部８５は有線ＬＡＮ上に接続されている端末とフレームの送受信を行い、有線フィルタリングテーブル８４は有線ＬＡＮ上に接続されている端末のアドレスを記憶する。ブリッジ制御部８３は無線のフレームと有線のフレームを変換する。
【０００８】
有線フレーム及び無線フレームのフレームヘッダにはアドレスフィールドが含まれる。有線フレームのアドレスフィールドには宛先端末アドレス（ＤＡ：Ｄｅｓｔｉｎａｔｉｏｎ  Ａｄｄｒｅｓｓ）と送信元端末アドレス（ＳＡ：Ｓｏｕｒｃｅ  Ａｄｄｒｅｓｓ）が指定される。ＡＰ間で送受信される無線フレームのアドレスフィールドには前記のＤＡ及びＳＡに加えて、送信ＡＰアドレス（ＴＡ：Ｔｒａｎｓｍｉｔｔｅｒ  Ａｄｄｒｅｓｓ）及び受信ＡＰアドレス（ＲＡ：Ｒｅｃｅｉｖｅｒ  Ａｄｄｒｅｓｓ）が指定される。
【０００９】
例えばＡＰ１に有線接続されている端末１からＡＰ２に有線接続されている端末２へフレームを送信する時は、ＤＡは最終の宛先となる端末２のアドレス、ＳＡは送信元である端末１のアドレス、ＴＡには無線区間の送信ＡＰであるＡＰ１のアドレス、ＲＡにはすべてのＡＰ宛を意味するブロードキャストアドレスが挿入される。ＲＡにＡＰ２のアドレスはなくブロードキャストアドレスを挿入するのは、ＡＰ１は端末２がＡＰ２に有線接続していることを知らないため、複数のＡＰに当該フレームを送信するためである。
【００１０】
ＡＰは有線区間及び無線区間で伝送されるフレームをブリッジするために、前記有線フィルタリングテーブル８４及び無線フィルタリングテーブル８２を参照して受信したフレームのフィルタリング制御を行う。このためにＡＰは、有線ＬＡＮインターフェース部８５で受信したフレームの送信元端末アドレスＳＡを有線フィルタリングテーブル８４に記憶するとともに、他のＡＰの認証情報あるいは事前に登録したＡＰの情報を無線フィルタリングテーブル８２に記憶する。
【００１１】
ＡＰが有線ＬＡＮから無線ＬＡＮにブリッジするフレームを受信すると、まず有線フィルタリングテーブル８４を参照して当該フレームの送信元端末アドレスＳＡが有線フィルタリングテーブル８４に存在するか否かを判断し、存在しない場合には当該ＳＡを有線フィルタリングテーブル８４に追加する。次に、再度有線フィルタリングテーブル８４を参照し、当該フレームの宛先端末アドレスＤＡが有線フィルタリングテーブル８４に存在するか否かを判断し、存在すれば当該フレームを廃棄し、存在しなければ当該フレームを無線側にブリッジする。
【００１２】
ＡＰが無線側からフレームを受信すると、当該受信フレームの受信ＡＰアドレスＲＡがブロードキャストであるか否かを判断し、ＲＡがブロードキャストでない場合には当該フレームを破棄する。また、ＲＡがブロードキャストアドレスである場合は、無線フィルタリングテーブル８２を参照して、受信フレームの送信ＡＰアドレスＴＡが送信ＡＰとして認証されているか否かを判断する。ＴＡが認証手続きを完了していない等により認証済みでない場合は、当該フレームの送信ＡＰに対し認証手続きを行う。送信ＡＰの認証が確立すると無線フィルタリングテーブル８２に送信ＡＰを記憶し、受信フレームを有線側にブリッジする。
【００１３】
以上の方法では、無線区間のフレームの受信側ＡＰから送信側ＡＰへの認証要求を行い、認証が確立した時点で無線区間から有線区間へのフレームのブリッジを行うようにしているが、他の方法としては送信ＡＰの情報をあらかじめ無線フィルタリングテーブル８２に登録し、無線区間からの受信フレームをフィルタリングするように構成している。
【特許文献１】特開２０００−３５８０５９号公報（第６−７頁、図４）
【発明の開示】
【発明が解決しようとする課題】
【００１４】
しかしながら、前記従来のＡＰの構成では、送信側ＡＰは無線区間へフレームをブロードキャスト送信するため、受信側ＡＰは受信したフレームに対して受信確認応答（ＡＣＫ）を送信しない。これはブロードキャストフレームを受信した複数のＡＰが同時にＡＣＫフレームを送信しようとするために、無線区間でＡＣＫフレームが衝突するのを避けるためにＡＣＫを送信しないようにしているのである。このため、無線区間でフレーム伝送誤りが発生した場合にフレーム再送を行うことができず、ネットワークの信頼性が低下するという課題を有していた。
【００１５】
本発明は、前記従来の課題を解決するもので、ＡＰ間通信を行う時に送信先ＡＰを特定してユニキャストを行うことで誤り再送を可能とし、ネットワークの信頼性を高めるＬＡＮ間接続方法及びアクセスポイント装置を提供することを目的とする。
【課題を解決するための手段】
【００１６】
前記従来の課題を解決するために、本発明のＬＡＮ間接続方法は、各ＡＰにおいて、他のＡＰから受信したフレームの送信元端末アドレスと送信ＡＰアドレスを関連付けて記憶するＡＰ接続端末アドレステーブルを有し、有線ＬＡＮあるいはＡＰが管理するステーションからフレームを受信した時に、フレームの宛先端末アドレスが前記ＡＰ接続端末アドレステーブルに送信元端末アドレスとして存在するか否かを判定し、前記判定結果が肯定的であった場合には前記送信元端末アドレスと関連付けて記憶されている送信ＡＰアドレスを宛先ＡＰとして当該フレームを無線区間に送信する。
【００１７】
本構成により、送信先のＡＰを特定することができ、ＡＰ間でユニキャスト通信を行っているので、フレームを受信したＡＰから送信ＡＰへフレーム確認応答（ＡＣＫ）を返信することで誤り再送を行うことが可能となり、信頼性の高いＡＰ間通信を行うことができる。
【００１８】
また、前記判定結果が否定的であった場合には宛先ＡＰとしてブロードキャストアドレスを指定し、フレームを無線区間に送信する。
【００１９】
本構成により、宛先ＡＰが不明な場合にすべてのＡＰに対してブロードキャストすることで、初期状態あるいはその他の要因でＡＰ接続端末アドレステーブルに宛先端末アドレスが登録されていない場合でも、フレームの中継が可能となる。
【発明の効果】
【００２０】
本発明のＬＡＮ間接続方法によれば、ＡＰ間通信を行う時に宛先端末アドレスをＡＰ接続端末アドレス記憶部から検索して送信先のＡＰを特定することができ、前記送信先ＡＰを受信ＡＰアドレスＲＡに挿入してＡＰ間でユニキャストすることが可能となる。このため、受信ＡＰから送信ＡＰに対してＡＣＫを送信することで誤り再送を行うことができ、信頼性の高いＡＰ間通信を行うことができる。
【発明を実施するための最良の形態】
【００２１】
以下本発明の実施の形態について、図面を参照しながら説明する。
【００２２】
（実施の形態１）
図１は、本発明の実施の形態１における家庭内ネットワークの一例を示す概念図である。
【００２３】
図１において、部屋１のアクセスポイント（ＡＰ）１０１にはイーサネット（登録商標）１０２を介してデスクトップコンピュータ１０３とＡＶＣサーバー１０４とテレビ１０５が接続されている。また、同時にＡＰ１０１には無線ＬＡＮ１１０を介してステーションとなるノートパソコン１１１が接続されている。部屋２のＡＰ２０１はイーサネット（登録商標）２０２を介してデスクトップコンピュータ２０３とテレビ２０５が接続され、同時に無線ＬＡＮ２１０を介してステーション２１１が接続されている。部屋３のＡＰ３０１はイーサネット（登録商標）３０２を介してテレビ３０５が接続され、同時に無線ＬＡＮ３１０を介してステーション３１１が接続されている。また、各ＡＰはＡＰ間無線ＬＡＮ１２０、２３０、１３０で接続されている。
【００２４】
以上のように構成されたネットワークにおいて、例えば部屋２のテレビ２０５で部屋１に設置されたＡＶＣサーバー１０４に蓄積されているＡＶストリームをダウンロードして視聴する場合を考える。ＡＶストリームを分割したフレームはＡＶＣサーバー１０４からテレビ２０５を最終宛先として送信される。経路上ではイーサネット（登録商標）１０２へ送出されたフレームはまずＡＰ１０１へ送信され、ＡＰ１０１においてＡＰ２０１を宛先としてＡＰ間無線ＬＡＮ１２０へと中継される。その後、当該フレームはＡＰ２０１で受信され、イーサネット（登録商標）２０２を介して最終宛先であるテレビ２０５へと送られる。
【００２５】
次に、部屋３のステーション３１１と部屋１のステーション１１１の間でファイル交換する場合を考えると、ステーション３１１のファイルは無線ＬＡＮ３１０、ＡＰ３０１、ＡＰ間無線ＬＡＮ１３０、ＡＰ１０１、及び無線ＬＡＮ１１０を経由してステーション１１１へ送られる。
【００２６】
以上のように部屋間で通信を行うには部屋内のイーサネット（登録商標）あるいは無線ＬＡＮと部屋間のＡＰ間無線ＬＡＮで各機器が接続され、中継局となるＡＰは宛先アドレスを変更して最終宛先となる機器へ送信している。
【００２７】
図２は部屋間でフレームを送受信するときに有線区間及び無線区間で用いるフレームのヘッダ部分におけるアドレスフィールドの構成を示す図である。図２において、ＡＰ２１はＳＴＡ２３と無線ＬＡＮで接続しており、端末２５とはイーサネット（登録商標）で接続されている。ＡＰ２２はＳＴＡ２４と無線で接続しており、端末２６とはイーサネット（登録商標）で接続されている。
【００２８】
アドレスフィールドは、ＤＡは最終宛先端末アドレス、ＳＡはフレーム送信元端末アドレス、ＡＡはＡＰとＳＴＡ間の無線ＬＡＮ通信における中継ＡＰアドレス、ＲＡはＡＰ間無線ＬＡＮ通信における受信ＡＰアドレス、ＴＡはＡＰ間無線ＬＡＮ通信における送信ＡＰアドレスを表す。
【００２９】
無線区間のフレームはＡＰとＳＴＡ間の通信は中継ＡＰアドレスＡＡ、宛先端末アドレスＤＡ及び送信元端末アドレスＳＡから構成される無線フレームを用い、ＡＰ間通信は受信ＡＰアドレスＲＡ、送信ＡＰアドレスＴＡ、宛先端末アドレスＤＡ及び送信元端末アドレスＳＡから構成されるブリッジフレームを用いる。
【００３０】
図２（ａ）において、フレームはＳＴＡ２３からＳＴＡ２３が属するＡＰ２１及びＳＴＡ２４が属するＡＰ２２を介してＳＴＡ２４へ送信される。いずれの区間でもＤＡは最終宛先となるＳＴＡ２４のＭＡＣアドレス、ＳＡは送信元であるＳＴＡ２３のＭＡＣアドレスが挿入される。ＡＰ２１とＡＰ２３間ではＡＡは中継ＡＰとなるＡＰ２１のＭＡＣアドレスが指定される。ＡＰ２１においてＡＰ間通信を行うためにアドレスフィールドを変換し、ＲＡとしてＡＰ２２のＭＡＣアドレス、ＴＡとしてＡＰ２１のＭＡＣアドレスが挿入される。ＡＰ２２ではＳＴＡ２４と通信を行うためにアドレスフィールドを変換し、ＡＡとして中継ＡＰとなるＡＰ２２のＭＡＣアドレスを挿入する。
【００３１】
図２（ｂ）において、フレームはＳＴＡ２３からＡＰ２１及び端末２６がイーサネット（登録商標）により接続するＡＰ２２を介して端末２６へ送信される。ＤＡとして端末２６のＭＡＣアドレスを挿入し、イーサネット（登録商標）区間はＤＡとＳＡのみを指定する以外は図２（ａ）の場合と同様のアドレスフィールドとなる。
【００３２】
図２（ｃ）において、フレームは端末２５から端末２５がイーサネット（登録商標）により接続するＡＰ２１及びＡＰ２２を介してＳＴＡ２４へ送信される。ＳＡとして端末２５のＭＡＣアドレスを挿入し、イーサネット（登録商標）区間はＤＡとＳＡのみを指定する以外は図２（ａ）の場合と同様のアドレスフィールドとなる。
【００３３】
図２（ｄ）において、フレームは端末２５からＡＰ２１及びＡＰ２２を経由して端末２６へ送信される。イーサネット（登録商標）区間はＤＡとして端末２６のＭＡＣアドレス、ＳＡとして端末２５のＭＡＣアドレスを挿入し、ＡＰ間ではＴＡとしてＡＰ２１のＭＡＣアドレス、ＲＡとしてＡＰ２２のＭＡＣアドレスを挿入する。
【００３４】
以上の場合においては宛先が特定されている場合のアドレスフィールドについて説明したが、ＡＰ間通信において宛先ＡＰが不明な場合はＲＡとしてブロードキャストアドレスを指定する。また、ＤＡがブロードキャストアドレスである場合にはＡＰ間通信においてＲＡ、ＴＡを指定するのではなく、ＡＰとＳＴＡ間で送受信を行うフレームを用いて通信を行う。この場合、ＡＡは送信元ＡＰのＭＡＣアドレスとなる。
【００３５】
図３は図２で示したようなアドレスフィールドの変換を行うＡＰの内部構成を示すブロック図である。図３において無線ＬＡＮインターフェース部３１は他のＡＰやＳＴＡと無線通信を行う。無線端末アドレス制御部３４は自局傘下のＳＴＡを管理するとともに無線ＬＡＮインターフェース部３１が他のＡＰから受信したフレームの送信ＡＰアドレスＴＡをアクセスポイントアドレステーブル３２に記憶し、同時に他のＡＰから受信したフレームの送信元端末アドレスＳＡと送信ＡＰアドレスＴＡをアクセスポイント接続端末アドレステーブル３３に記憶する。また、無線端末アドレス制御部３４は有線側で受信し、ブリッジ制御部３５で無線送信用に変換されたフレームの宛先端末アドレスＤＡをアクセスポイント接続端末アドレステーブル３３から検索し、存在すればその宛先端末アドレスが接続するＡＰのアドレスを受信ＡＰアドレスＲＡに挿入して無線ＬＡＮインターフェース部３１に渡す。
【００３６】
ブリッジ制御部３５は無線区間のフレームと有線区間のフレームの変換を行う。
【００３７】
有線端末アドレス制御部３７は有線ＬＡＮインターフェース部３８が他の端末から受信したフレームの送信元アドレスＳＡを有線接続端末アドレステーブル３６から検索し、無ければ当該送信元アドレスＳＡを有線接続端末アドレステーブル３６に記憶する。また、同時に宛先端末アドレスＤＡを有線接続端末アドレステーブル３６から検索し、存在すれば当該フレームを廃棄し、存在しなければブリッジ制御部３５に渡す。
【００３８】
有線ＬＡＮインターフェース部３８はイーサネット（登録商標）などの有線ＬＡＮと接続し、有線ＬＡＮ上に接続された端末と通信を行う。
【００３９】
なお、上記のＡＰの構成においてアクセスポイントアドレステーブル３２には他のＡＰから受信したフレームの送信ＡＰアドレスＴＡを記憶するようにしたが、別の方法としてあらかじめ他のＡＰをアクセスポイントアドレステーブル３２に記憶しても良い。さらにセキュリティを高める方法としてはあらかじめ他のＡＰとの間で認証を行い、認証確認が取れたＡＰをアクセスポイントアドレステーブル３２に記憶しておいても良い。
【００４０】
以上のように構成されたＡＰの詳細な動作について図４、図５及び図６のフロー図を用いて説明する。
【００４１】
図４はＡＰが無線ＬＡＮインターフェース部３１からブリッジフレームを受信した場合の処理フロー図である。ＡＰは無線ＬＡＮインターフェース３１においてブリッジフレームを受信すると、ステップ４０１において、受信ＡＰアドレスＲＡが自局宛であるか否かを判定する。受信ＡＰアドレスＲＡが自局宛でなければ、ステップ４０２へ進み、自局宛であればステップ４０３へ進む。次に、ステップ４０２において、受信ＡＰアドレスＲＡがブロードキャストアドレスであるか否かを判定し、ブロードキャストアドレスであればステップ４０３へ進み、ブロードキャストアドレスでなければ、ステップ４１０において当該フレームを廃棄する。
【００４２】
ステップ４０３において、受信フレームの送信ＡＰアドレスＴＡがＡＰアドレステーブル３２に存在するか否かを判定し、存在する場合にはステップ４０５に進み、存在しない場合にはステップ４０４において、送信ＡＰアドレスＴＡをＡＰアドレステーブル３２に登録してステップ４０５に進む。
【００４３】
ステップ４０５において、受信フレームの送信元端末アドレスＳＡがＡＰ接続端末アドレステーブル３３に存在するか否かを判定し、存在する場合にはステップ４０７に進み、存在しない場合にはステップ４０６において、送信元端末アドレスＳＡを送信ＡＰアドレスＴＡとともにＡＰ接続端末アドレステーブル３３に登録してステップ４０７に進む。
【００４４】
ここで、図７を用いてＡＰ接続端末アドレステーブル３３の構成について説明する。図７に示すようにＡＰ接続端末アドレステーブル３３はエントリ番号、端末ＭＡＣアドレス、ＡＰ  ＭＡＣアドレスから構成される。ステップ４０５において送信元端末アドレスＳＡを検索するには、送信元端末アドレスＳＡと端末ＭＡＣアドレスが一致するか否かを確認する。また、ステップ４０６においてＡＰ接続端末アドレステーブル３３への登録は、空きのあるエントリ番号に送信元端末アドレスＳＡを端末ＭＡＣアドレスとして、また、送信ＡＰアドレスＴＡをＡＰ  ＭＡＣアドレスとして登録する。例えば、図１のＡＰ１０１において、ＡＰ接続端末アドレステーブル３３に何も登録されていない初期状態で送信元端末アドレスＳＡがＳＴＡ２１１であるフレームを受信すると、エントリ番号１に端末ＭＡＣアドレスとしてＳＴＡ２１１のＭＡＣアドレスと、ＡＰ  ＭＡＣアドレスとしてＡＰ２０１のＭＡＣアドレスを登録する。以下同様に、送信元端末アドレスＳＡが端末２０５からのフレームを受信すると、エントリ番号２に端末２０５とＡＰ２０１のＭＡＣアドレスを登録していく。以上のように、ＡＰ接続端末アドレステーブル３３を構成することにより、どのＡＰにどの端末及びＳＴＡが接続しているかがわかる。
【００４５】
ステップ４０７において、受信フレームの宛先端末アドレスＤＡが自局管理下のＳＴＡであるか否かを判定する。宛先端末アドレスＤＡが自局管理のＳＴＡであれば、ステップ４１１に進み、中継ＡＰアドレスＡＡに自局のＭＡＣアドレスを挿入して無線フレームを作成し、無線区間へ送信する。宛先端末アドレスＤＡが自局管理のＳＴＡで無ければ、ステップ４０８に進む。ステップ４０７により、他のＡＰにより中継されてきたフレームが自局傘下のＳＴＡへ再中継される。
【００４６】
ステップ４０８において、受信フレームの宛先端末アドレスＤＡがブロードキャストアドレスであるか否かを判定する。宛先端末アドレスＤＡがブロードキャストアドレスである場合にはステップ４１２に進み、中継ＡＰアドレスＡＡに自局のＭＡＣアドレスを挿入して無線フレームを作成し、無線区間へ送信する。さらに、ステップ４１３に進み、有線フレームを作成して、有線ＬＡＮインターフェース部３８から有線ＬＡＮ側にブロードキャストする。宛先端末アドレスＤＡがブロードキャストアドレスで無ければ、ステップ４０９に進む。ステップ４０８により、他のＡＰにより中継されてきたブロードキャストフレームが自局傘下のＳＴＡと有線ＬＡＮ側に再中継される。
【００４７】
ステップ４０９において、受信フレームの宛先端末アドレスＤＡが有線接続端末アドレステーブル３６に存在するか否かを判定する。有線接続端末アドレステーブル３６を検索して宛先端末アドレスＤＡが存在すれば、ステップ４１３に進み、有線フレームを作成して、有線ＬＡＮインターフェース部３８から有線ＬＡＮ側に送信する。宛先端末アドレスＤＡが存在しなければ、ステップ４１０に進み、当該フレームを廃棄する。ステップ４０９により、他のＡＰにより中継されてきた有線接続端末宛フレームが有線ＬＡＮ側に再中継される。
【００４８】
図５はＡＰが有線ＬＡＮインターフェース３８からイーサネット（登録商標）フレームを受信した場合の処理フロー図である。ＡＰは有線ＬＡＮインターフェース部３８においてイーサネット（登録商標）フレームを受信すると、ステップ５０１において、有線接続端末アドレステーブル３６を検索し、フレームの送信元端末アドレスＳＡが有線接続端末アドレステーブル３６に存在するか否かを判定する。存在すればステップ５０３へ進み、存在しなければステップ５０２において送信元端末アドレスＳＡを有線接続端末アドレステーブル３６に登録する。
【００４９】
ステップ５０３において、有線接続端末アドレステーブル３６を検索し、受信フレームの宛先端末アドレスＤＡが有線接続端末アドレステーブル３６に存在すれば宛先が有線側であるので当該フレームを廃棄し、存在しなければステップ５０５に進む。
【００５０】
ステップ５０５において、宛先端末アドレスＤＡがブロードキャストアドレスであるか否かを判定する。宛先端末アドレスＤＡがブロードキャストアドレスである場合にはステップ５０６において中継ＡＰアドレスＡＡを自局のＭＡＣアドレスとする無線フレームを作成するとともに、送信ＡＰアドレスＴＡを自局のＭＡＣアドレスとするブリッジフレームを作成して無線区間へ送信する。また、宛先端末アドレスＤＡがブロードキャストアドレスでなければステップ５０７へ進む。
【００５１】
ステップ５０７において、宛先端末アドレスＤＡが無線端末アドレス制御部３４で管理している自局管理下のＳＴＡで有るか否かを判定する。宛先端末アドレスＤＡが自局管理下のＳＴＡである場合にはステップ５０８において中継ＡＰアドレスＡＡを自局のＭＡＣアドレスとする無線フレームを作成して無線区間へ送信し、自局傘下のＳＴＡでない場合にはステップ５０９に進む。
【００５２】
ステップ５０９において、ＡＰ接続端末アドレステーブル３３の端末ＭＡＣアドレスを検索し、宛先端末アドレスＤＡが存在するか否かを判定する。宛先端末アドレスＤＡがＡＰ接続端末アドレステーブル３３の端末ＭＡＣアドレスに存在する場合にはその端末ＭＡＣアドレスと一緒に保持されているＡＰ  ＭＡＣアドレスを読み出し、ステップ５１０に進む。ステップ５１０において、読み出したＡＰ  ＭＡＣアドレスを受信ＡＰアドレスＲＡに挿入し、送信ＡＰアドレスＴＡに自局のＭＡＣアドレスを挿入してブリッジフレームを作成し、ステップ５１２に進み、無線ＬＡＮインターフェース部３１から無線区間にブリッジフレームを送信する。
【００５３】
以上にように、送信先のＡＰを指定して無線区間にブリッジフレームを送信することでＡＰ間通信を行うことができる。したがって、送信ＡＰ及び受信ＡＰ間でユニキャストを行っているので、受信ＡＰから送信ＡＰに対してＡＣＫフレームを返信することで誤り再送が可能となり、信頼性の高いＡＰ間通信が可能となる。
【００５４】
次に、ステップ５０９において、宛先端末アドレスＤＡがＡＰ接続端末アドレステーブル３３の端末ＭＡＣアドレスに存在しない場合には、ステップ５１１に進む。ステップ５１１において、受信ＡＰが不明であるので、受信ＡＰアドレスＲＡにブロードキャストアドレスを挿入し、送信ＡＰアドレスＴＡに自局のＭＡＣアドレスを挿入してブリッジフレームを作成し、ステップ５１２に進み、無線ＬＡＮインターフェース部３１からブリッジフレームを無線区間に送信する。
【００５５】
以上のように、受信ＡＰが不明な場合にすべてのＡＰに対してブロードキャストすることで、初期状態あるいはその他の要因でＡＰ接続端末アドレステーブル３３に宛先端末アドレスＤＡが登録されていない場合でも、フレームの中継が可能となる。
【００５６】
図６はＡＰが無線ＬＡＮインターフェース３１からＡＰ管理下にあるＳＴＡが送信した無線フレームを受信した場合の処理フロー図である。ＡＰは無線ＬＡＮインターフェース部３１から無線フレームを受信すると、ステップ６０１において、受信した無線フレームの送信元端末アドレスＳＡが自局管理下にあるＳＴＡのＭＡＣアドレスであるか否かを判定する。自局管理下のＳＴＡであればステップ６０３へ進み、自局管理下のＳＴＡでなければステップ６０２へ進み、当該フレームを廃棄する。
【００５７】
ステップ６０３において、有線接続端末アドレステーブル３６を検索し、無線フレームの宛先端末アドレスＤＡが有線接続端末アドレステーブル３６に存在すれば宛先端末が有線側であるので、ステップ６０４へ進み、有線フレームを作成して、有線区間へ前記優先フレームを送信する。また、宛先端末アドレスＤＡが存在しなければステップ６０５に進む。
【００５８】
ステップ６０５において、宛先端末アドレスＤＡが無線端末アドレス制御部３４で管理している自局管理下のＳＴＡで有るか否かを判定する。宛先端末アドレスＤＡが自局管理下のＳＴＡである場合にはステップ６０６へ進み、中継ＡＰアドレスＡＡを自局のＭＡＣアドレスとする無線フレームを作成して無線区間へ送信する。宛先端末アドレスＤＡが自局管理下のＳＴＡでない場合にはステップ６０７へ進む。
【００５９】
ステップ６０７において、宛先端末アドレスＤＡがＡＰ接続端末アドレステーブル３３の端末ＭＡＣアドレスに存在するか否かを検索する。宛先端末アドレスＤＡがＡＰ接続端末アドレステーブル３３の端末ＭＡＣアドレスに存在する場合にはその端末ＭＡＣアドレスと一緒に保持されているＡＰ  ＭＡＣアドレスを読み出し、ステップ６０８に進む。ステップ６０８において、読み出したＡＰ  ＭＡＣアドレスを受信ＡＰアドレスＲＡに挿入し、送信ＡＰアドレスＴＡに自局のＭＡＣアドレスを挿入してブリッジフレームを作成し、ステップ６１４へ進み、無線ＬＡＮインターフェース部３１から無線区間にブリッジフレームを送信する。
【００６０】
以上にように、送信先のＡＰを指定して無線区間にブリッジフレームを送信することでＡＰ間通信を行うことができる。したがって、送信ＡＰ及び受信ＡＰ間でユニキャストを行っているので、受信ＡＰから送信ＡＰに対してＡＣＫフレームを返信することで誤り再送が可能となり、信頼性の高いＡＰ間通信が可能となる。
【００６１】
次に、ステップ６０７において、宛先端末アドレスＤＡがＡＰ接続端末アドレステーブル３３の端末ＭＡＣアドレスに存在しない場合には、ステップ６０９に進む。
【００６２】
ステップ６０９において、無線フレームの宛先端末アドレスＤＡがブロードキャストアドレスであるか否かを判定する。宛先端末アドレスＤＡがブロードキャストアドレスである場合には、ステップ６１０において有線フレームを作成して有線区間へ送信し、ステップ６１１において、中継ＡＰアドレスＡＡを自局のＭＡＣアドレスとする無線フレームを作成し、また、ステップ６１２において受信ＡＰアドレスＲＡにブロードキャストアドレスを挿入し、送信ＡＰアドレスＴＡに自局のＭＡＣアドレスを挿入してブリッジフレームを作成し、ステップ６１４において、前記無線フレームと前記ブリッジフレームを無線区間に送信する。宛先端末アドレスＤＡがブロードキャストアドレスで無い場合にはステップ６１３に進む。
【００６３】
ステップ６１３において、受信ＡＰが不明であるので、受信ＡＰアドレスＲＡにブロードキャストアドレスを挿入し、送信ＡＰアドレスＴＡに自局のＭＡＣアドレスを挿入してブリッジフレームを作成し、ステップ６１４に進み、無線ＬＡＮインターフェース部３１からブリッジフレームを無線区間に送信する。
【００６４】
以上のように、受信ＡＰが不明な場合にすべてのＡＰに対してブロードキャストすることで、初期状態あるいはその他の要因でＡＰ接続端末アドレステーブル３３に宛先端末アドレスＤＡが登録されていない場合でも、フレームの中継が可能となる。
【産業上の利用可能性】
【００６５】
本発明にかかるアクセスポイント装置は、アクセスポイント間で信頼性の高い無線通信を行う機能を有し、異なる場所に設置された複数の有線ＬＡＮを無線で接続するＬＡＮシステムとして有用である。
【図面の簡単な説明】
【００６６】
【図１】本発明の実施の形態１における家庭内のネットワークを示す概念図
【図２】本発明の実施の形態１におけるフレームのアドレスフィールドを示す図
【図３】本発明の実施の形態１におけるアクセスポイントの構成を示すブロック図
【図４】本発明の実施の形態１におけるアクセスポイントの無線ブリッジフレームの受信処理を示すフローチャート
【図５】本発明の実施の形態１におけるアクセスポイントの有線フレームの受信処理を示すフローチャート
【図６】本発明の実施の形態１におけるアクセスポイントの無線フレームの受信処理を示すフローチャート
【図７】本発明の実施の形態１におけるアクセスポイント接続端末アドレステーブルの構成を示す図
【図８】従来のアクセスポイントの構成を示すブロック図
【符号の説明】
【００６７】
１００，２００，３００    各部屋内のＬＡＮ
１０１，２０１，３０１    アクセスポイント
１０２，２０２，３０２    イーサネット（登録商標）
１０３，２０３    デスクトップコンピュータ
１０４    ＡＶＣサーバー
１０５，２０５，３０５    テレビ
１１１，２１１，３１１    ステーション
１１０，２１０，３１０    無線ＬＡＮ
１２０，１３０，２３０    アクセスポイント間無線ＬＡＮ
２１，２２    アクセスポイント
２３    ステーション
２４    ステーション
２５    端末
２６    端末
３１    無線ＬＡＮインターフェース部
３２    アクセスポイントアドレステーブル
３３    アクセスポイント接続端末アドレステーブル
３４    無線端末アドレス制御部
３５    ブリッジ制御部
３６    有線接続端末アドレステーブル
３７    有線端末アドレス制御部
３８    有線ＬＡＮインターフェース部
８１    無線ＬＡＮインターフェース部
８２    無線フィルタリングテーブル
８３    ブリッジ制御部
８４    有線フィルタリングテーブル
８５    有線ＬＡＮインターフェース部
【図１】
2005136826.tif 000003
【図２】
2005136826.tif 000004
【図３】
2005136826.tif 000005
【図４】
2005136826.tif 000006
【図５】
2005136826.tif 000007
【図６】
2005136826.tif 000008
【図７】
2005136826.tif 000009
【図８】
2005136826.tif 000010